(57)【要約】【目的】  げた箱周辺の環境を整えると共に、玄関における収納機能を高める構成を提供する。【構成】  スロープ１の２つの側面２の各々が上がり框３及び、玄関側壁４と交差する第１壁５に接する、上がり框３に横付けされた状況のスロープ１を設け、玄関土間６とスロープ１を介する着脱スペース７を設け、スロープ１と着脱スペース７を玄関側壁４の陰に隠蔽する住宅８であって、上がり框３と着脱スペース７を介する箇所に第１収納部９を設け、上がり框３とスロープ１を介する箇所に第２収納部１０を設け、第１収納部９と第２収納部１０は一体成型される様にし、第１収納部９の第１天板１１及び、第２収納部１０の第２天板１２を囲う第１枠１３を設け、第１枠１３は第１収納部９と第２収納部１０のホール１４側の第１枠１３を撤廃する様にし、第１収納部９に着脱スペース７側に開閉する第１扉１５を設け、第２収納部１０にホール１４側に開閉する第２扉１６を設ける様にする。【選択図】図１
2008184887.tif 000002
【特許請求の範囲】
【請求項１】
スロープ（１）の２つの側面（２）の各々が上がり框（３）及び、玄関側壁（４）と交差する第１壁（５）に接する、上がり框（３）に横付けされた状況のスロープ（１）を設け、玄関土間（６）とスロープ（１）を介する着脱スペース（７）を設け、スロープ（１）と着脱スペース（７）を玄関側壁（４）の陰に隠蔽する住宅（８）であって、上がり框（３）と着脱スペース（７）を介する箇所に第１収納部（９）を設け、上がり框（３）とスロープ（１）を介する箇所に第２収納部（１０）を設け、第１収納部（９）と第２収納部（１０）は一体成型される様にし、第１収納部（９）の第１天板（１１）及び、第２収納部（１０）の第２天板（１２）を囲う第１枠（１３）を設け、第１枠（１３）は第１収納部（９）と第２収納部（１０）のホール（１４）側の第１枠（１３）を撤廃する様にし、第１収納部（９）に着脱スペース（７）側に開閉する第１扉（１５）を設け、第２収納部（１０）にホール（１４）側に開閉する第２扉（１６）を設ける様にした玄関収納構造。
【請求項２】
スロープ（１）の２つの側面（２）の各々が上がり框（３）及び、玄関側壁（４）と交差する第１壁（５）に接する、上がり框（３）に横付けされた状況のスロープ（１）を設け、玄関土間（６）とスロープ（１）を介する着脱スペース（７）を設け、スロープ（１）と着脱スペース（７）を玄関側壁（４）の陰に隠蔽する住宅（８）であって、上がり框（３）と着脱スペース（７）を介する箇所に第１収納部（９）を設け、上がり框（３）とスロープ（１）を介する箇所に第２収納部（１０）を設け、第１収納部（９）と第２収納部（１０）は一体成型される様にし、第２天板（１２）を囲う第２枠（２０）を設け、第２枠（２０）は第２収納部（１０）のホール（１４）側の第２枠（２０）を撤廃する様にし、第１天板（１１）には第１天板（１１）を囲う枠を設けないことで第１天板（１１）と第２天板（１２）に境界を生じる様にし、第１収納部（９）に着脱スペース（７）側に開閉する第１扉（１５）を設け、第２収納部（１０）にホール（１４）側に開閉する第２扉（１６）を設ける様にした玄関収納構造。
【発明の詳細な説明】
【技術分野】
【０００１】  本発明は住宅に設ける玄関収納に関するものである。
【背景技術】
【０００２】  げた箱は一般に玄関扉と上がり框の経路間に設けられていた。
【発明が解決しようとする課題】
【０００３】  げた箱は適度な高さの天板を備えているために飾り棚の役目を担うものである。このことに関しては装飾品選択のセンスに配慮するべきである一方、盗難に対する留意が必要である。又、適度な高さにある天板は日用品の恰好な置き台になりがちであり、景観上好ましいものではない。
本発明はこの様な懸念事項を解消してげた箱周辺の環境を整えると共に、玄関における収納機能を高める構成を提供するものである。
【課題を解決するための手段】
【０００４】  スロープ１の２つの側面２の各々が上がり框３及び、玄関側壁４と交差する第１壁５に接する、上がり框３に横付けされた状況のスロープ１を設け、玄関土間６とスロープ１を介する着脱スペース７を設け、スロープ１と着脱スペース７を玄関側壁４の陰に隠蔽する住宅８であって、上がり框３と着脱スペース７を介する箇所に第１収納部９を設け、上がり框３とスロープ１を介する箇所に第２収納部１０を設け、第１収納部９と第２収納部１０は一体成型される様にし、第１収納部９の第１天板１１及び、第２収納部１０の第２天板１２を囲う第１枠１３を設け、第１枠１３は第１収納部９と第２収納部１０のホール１４側の第１枠１３を撤廃する様にし、第１収納部９に着脱スペース７側に開閉する第１扉１５を設け、第２収納部１０にホール１４側に開閉する第２扉１６を設ける様にする。
【発明を実施するための最良の形態】
【０００５】  特開２００３−４１７４８号公報ではスロープ１の２つの側面２の各々が上がり框３及び、玄関側壁４と交差する第１壁５に接する、上がり框３に横付けされた状況のスロープ１を設け、玄関土間６とスロープ１を介する着脱スペース７を設ける構成が示されている。又、図１に示す様に上がり框３と着脱スペース７を介する箇所に第１収納部９を設け、上がり框３とスロープ１を介する箇所に第２収納部１０を設け、第１収納部９と第２収納部１０は一体成型される様にする。つまり、従来のげた箱が玄関扉１７と上がり框３の経路間に設けられるのに対し、第１収納部９と第２収納部１０は玄関扉１７と上がり框３の経路間には設けられてはいない。そのために客人の動線上から第１収納部９と第２収納部１０は乖離すると共に、第１収納部９の第１天板１１及び、第２収納部１０の第２天板１２を囲う第１枠１３を設け、第１枠１３は第１収納部９と第２収納部１０のホール１４側の第１枠１３を撤廃する様にして第１天板１１上と第２天板１２上に置かれる装飾品を客人の視野から遠ざける手段及び、覆う手段を図ることで前記の様な懸念事項が解消され、又、第１天板１１上と第２天板１２上に置かれる装飾品をホール１４側から鑑賞できることになる。
又、第１収納部９に着脱スペース７側に開閉する第１扉１５を設けることで第１収納部９は当面において使用頻度が高い履物を収めるげた箱として使用し、第２収納部１０にホール１４側に開閉する第２扉１６を設けることで第２収納部１０は当面において使用頻度が低い履物を収めるげた箱として使用する様にする。
【実施例】
【０００６】  又、第２収納部１０については、傾斜があるスロープ１上での扉の操作は危険を伴うことを考慮してスロープ１側に開閉する扉は設けない様にし、図１に示す様にスロープ１側には第１手摺り１８を設けることが適切である。
又、玄関土間６とホール１４の往来を可能とする部位の上がり框３については、この部位の上がり框３から玄関土間６に延びる張り出し部１９を設け、張り出し部１９の面を第１収納部９の第１扉１５がある面と揃える様にする。なお、図１においては玄関土間６とホール１４の往来を可能とする部位の上がり框３を点線で表記するが、実際においては図２に示す様に張り出し部１９の設計が認識できない様にして上がり框３の造作を行うことが適切である。
又、図１に示す第１天板１１と第２天板１２に境界は存在しないのに対し、図２に示すものは第２天板１２を囲う第２枠２０を設け、第２枠２０は第２収納部１０のホール１４側の第２枠２０を撤廃する様にし、第１天板１１には第１天板１１を囲う枠を設けないことで第１天板１１と第２天板１２に境界を生じるものである。この構成により第２天板１２上に置かれる装飾品に対する前記の様な懸念事項が解消され、又、第１天板１１上に置かれる装飾品をホール１４側から鑑賞できると共に、玄関扉１７と上がり框３の経路間の位置からも鑑賞できることになる。なお、第２枠２０は一連の第１天板１１と第２天板１２を区分するものであり、第２天板１２を日用品や雑品を一時保管する置き台として使用する際も第２枠２０の機能が発揮される。
又、図１に示す様に玄関側壁４と交差する第１壁５はスロープ１と着脱スペース７に接して構成され、玄関扉１７が設置される玄関壁２１と玄関側壁４及び、第１壁５により造作される空間を玄関収納に活用する。つまり、着脱スペース７と接する、玄関側壁４と交差する第１壁５に第１壁収納２２を設けると共に、第１壁収納２２に第３扉２３を設け、第１壁収納２２は玄関側壁４の間口寸法分を奥行き寸法として収納物が収納される様にする。これにより着脱スペース７のホール１４側には第１収納部９が構え、着脱スペース７の玄関扉１７側には第１壁収納２２が構えることになる。又、玄関壁２１と玄関側壁４及び、第１壁５により造作される玄関収納として、玄関側壁４に対向する第２壁２４に第２壁収納２５を設けると共に、第２壁収納２５に第４扉２６を設ける。なお、図１においては第１壁収納２２と第２壁収納２５を区分する仕切り壁２７は第３扉２３の開放時における第３扉２３の収納範囲を考慮して配置している。
又、第１壁５に第２手摺り２８を設けると共に、踊り場２９に繋がり、第２壁収納２５の手前に配置する床３０と接する玄関壁２１に窓３１を設ける。
又、第１扉１５や第３扉２３を蝶番により開閉する扉とする場合は、開放時に第１扉１５や第３扉２３と履物が接触しない様にするため、図２に示す様に高さのある履物でも対応できる高度維持を第１扉１５や第３扉２３に課すと共に、第１扉１５や第３扉２３の下部に、着脱スペース７の床と共有する保管スペース３２を設ける。なお、図１においては第３扉２３は人物が出入りできる引き戸を示すものであり、引き戸の奥に床を設け、床の両側に小棚と大棚を配置している。つまり、前記した第１壁収納２２側の保管スペースの図面表記は為されない。なお、第２扉１６は引き戸により開閉する扉の図面表記を行っている。
又、第１扉１５や第３扉２３を蝶番により開閉する扉とする場合は、第１扉１５や第３扉２３の開放時に各々が第１手摺り１８や第２手摺り２８に接触して損傷することがない様、図２に示す様に例えば第１扉１５を第１手摺り１８から乖離する方向に開放する構成にするか、若しくは、第１扉１５や第３扉２３を引き戸に変更する手段が図られる。又、第１扉１５を引き戸に変更する場合は第１扉１５の開放時に第１扉１５が第２収納部１０内の棚及び、第１収納部９内と第２収納部１０内を区分する仕切り壁に接触する懸念が無い様に造作を行う。なお、第１収納部９内と第２収納部１０内を区分する仕切り壁を設けない場合においてもげた箱として支障無く機能することになるが、仕切り壁設置の可否については収納物内容等、諸状況に応じて決定する様にする。
【発明の効果】
【０００７】（イ）  図１に示す様に第１天板１１と第２天板１２及び、第１枠１３の構成により装飾品をホール１４側からプライベートに鑑賞できると共に、玄関扉１７と上がり框３の経路間の位置から第１天板１１と第２天板１２の状況等も覗かれる懸念が無い他、第１収納部９と第２収納部１０が従来のげた箱の配置よりも奥まった箇所に設けられることと相俟って盗難を回避し易くできる。
（ロ）  又、図２に示す構成により第２天板１２上に置かれる装飾品をホール１４側からプライベートに鑑賞できると共に、第１天板１１上に置かれる装飾品を装飾品選択のセンスに配慮しつつ玄関扉１７と上がり框３の経路間の位置からも鑑賞できることになる。なお、第１天板１１を囲う枠を設けて、第２天板１２を囲う枠を設けない構成の場合においても類似した効果が期待できる。
（ハ）  スロープ１と着脱スペース７の両側に玄関収納を集約することで効率的な収納が可能である。併せて、集約された玄関収納は玄関側壁４に沿って配置されない状況及び、玄関扉１７と上がり框３の経路間の位置から隠蔽される状況を呈することで玄関土間６を通路として捉える概念により、客人を（張り出し部１９がある）上がり框３から招くことができる。
（ニ）  げた箱を玄関扉１７と上がり框３の経路間から遠ざけることで経路往来時にげた箱から発生する臭気受容を抑えられるため、前記の爽快感に加えて、清潔感のある玄関土間６を提供することができる。
（ホ）  不用意に上がり框３と傾斜があるスロープ１の段差越えを行い歩行バランスを崩さない様に、上がり框３とスロープ１を介する箇所に第２収納部１０を設けることで第２収納部１０が両者の仕切り壁の機能を担うことになる。
（ヘ）  第１収納部９に設ける保管スペース３２及び、第１壁収納２２に設ける保管スペースに着脱スペース７上の履物や上がり框３付近の履物を一時移動させて保管することで車椅子による玄関土間６とホール１４の往来が容易に行える。
【図面の簡単な説明】
【図１】  本発明の間取り図
【図２】  第１収納部９周辺を示す斜視図
【符号の説明】
１  スロープ            ２  側面              ３  上がり框
４  玄関側壁            ５  第１壁            ６  玄関土間
７  着脱スペース        ８  住宅              ９  第１収納部
１０  第２収納部        １１  第１天板        １２  第２天板
１３  第１枠            １４  ホール          １５  第１扉
１６  第２扉            １７  玄関扉          １８  第１手摺り
１９  張り出し部        ２０  第２枠          ２１  玄関壁
２２  第１壁収納        ２３  第３扉          ２４  第２壁
２５  第２壁収納        ２６  第４扉          ２７  仕切り壁
２８  第２手摺り        ２９  踊り場          ３０  床
３１  窓                ３２  保管スペース
【図１】
2008184887.tif 000003
【図２】
2008184887.tif 000004